(57)【要約】端末（ＵＥ；ｕｓｅｒ  ｅｑｕｉｐｍｅｎｔ）は、ｅＮＢ（ｅＮｏｄｅＢ）からＳＰＳリソース構成を受信し、特定論理チャンネルに対するＳＰＳ活性化と関連した情報を前記ｅＮＢに転送する。前記情報は、前記特定論理チャンネルに対するＳＰＳリソースがいつ活性化されるべきかを指示する特定論理チャンネルに対するタイミング情報を含む。前記特定論理チャンネルは、Ｖ２Ｘ（ｖｅｈｉｃｌｅ−ｔｏ−ｅｖｅｒｙｔｈｉｎｇ）通信に対応する。【選択図】図６
2019504573.tif 000002
【特許請求の範囲】
【請求項１】
無線通信システムにおける端末（ＵＥ；ｕｓｅｒ  ｅｑｕｉｐｍｅｎｔ）による半静的スケジューリング（ＳＰＳ；ｓｅｍｉ−ｐｅｒｓｉｓｔｅｎｔ  ｓｃｈｅｄｕｌｉｎｇ）活性化を実行する方法において、
ｅＮＢ（ｅＮｏｄｅＢ）からＳＰＳリソース構成を受信し、
特定論理チャンネルに対する前記ＳＰＳ活性化と関連した情報を前記ｅＮＢに転送することを含む、方法。
【請求項２】
前記情報は、前記特定論理チャンネルに対するタイミング情報を含む、請求項１に記載の方法。
【請求項３】
前記タイミング情報は、前記特定論理チャンネルに対するＳＰＳリソースがいつ活性化されるべきかを指示する、請求項２に記載の方法。
【請求項４】
前記タイミング情報は、システムフレーム番号（ＳＦＮ；ｓｙｓｔｅｍ  ｆｒａｍｅ  ｎｕｍｂｅｒ）またはサブフレーム番号のうち少なくとも一つを含む、請求項２に記載の方法。
【請求項５】
前記情報は、前記ＳＰＳ活性化に対する要求を含む、請求項１に記載の方法。
【請求項６】
前記情報は、ＰＵＣＣＨ（ｐｈｙｓｉｃａｌ  ｕｐｌｉｎｋ  ｃｏｎｔｒｏｌ  ｃｈａｎｎｅｌ）、ＭＡＣ（ｍｅｄｉａ  ａｃｃｅｓｓ  ｃｏｎｔｒｏｌ）ＣＥ（ｃｏｎｔｒｏｌ  ｅｌｅｍｅｎｔ）またはＲＲＣ（ｒａｄｉｏ  ｒｅｓｏｕｒｃｅ  ｃｏｎｔｒｏｌ）メッセージ上のスケジューリング要求（ＳＲ；ｓｃｈｅｄｕｌｉｎｇ  ｒｅｑｕｅｓｔ）を介して転送される、請求項１に記載の方法。
【請求項７】
前記ＳＰＳリソース構成は、前記特定論理チャンネル、特定ＰＤＮ（ｐａｃｋｅｔ  ｄａｔａ  ｎｅｔｗｏｒｋ）、特定アプリケーションまたは特定サービスのうち一つに対するものである、請求項１に記載の方法。
【請求項８】
前記特定論理チャンネル、前記特定ＰＤＮ、前記特定アプリケーションまたは前記特定サービスは、Ｖ２Ｘ（ｖｅｈｉｃｌｅ−ｔｏ−ｅｖｅｒｙｔｈｉｎｇ）通信に対応する、請求項７に記載の方法。
【請求項９】
前記ＳＰＳリソース構成は、前記ＳＰＳリソース構成の対象である前記特定論理チャンネルを指示する論理チャンネル識別子を含む、請求項１に記載の方法。
【請求項１０】
前記ｅＮＢからＳＰＳ活性化命令を受信することをさらに含む、請求項１に記載の方法。
【請求項１１】
前記ＳＰＳ活性化命令は、ＳＰＳリソースが活性化される時を指示するＳＰＳ時間オフセットを含む、請求項１０に記載の方法。
【請求項１２】
前記ＳＰＳ活性化命令は、ＳＰＳ  Ｃ−ＲＮＴＩ（ｃｅｌｌ  ｒａｄｉｏ  ｎｅｔｗｏｒｋ  ｔｅｍｐｏｒａｒｙ  ｉｄｅｎｔｉｔｙ）によりアドレスされるＰＤＣＣＨ（ｐｈｙｓｉｃａｌ  ｄｏｗｎｌｉｎｋ  ｃｏｎｔｒｏｌ  ｃｈａｎｎｅｌ）上でＵＬ（ｕｐｌｉｎｋ）リソースを承認する、請求項１０に記載の方法。
【請求項１３】
前記ＳＰＳ活性化命令を受信する時、前記ＳＰＳリソース構成により構成されたＳＰＳリソースを利用して前記ｅＮＢにＵＬ転送を実行することをさらに含む、請求項１０に記載の方法。
【請求項１４】
前記ＵＥのＮＡＳ（ｎｏｎ−ａｃｃｅｓｓ  ｓｔｒａｔｕｍ）階層により連結確立をトリガすることをさらに含む、請求項１に記載の方法。
【請求項１５】
無線通信システムにおける端末（ＵＥ；ｕｓｅｒ  ｅｑｕｉｐｍｅｎｔ）において、
メモリと、
送受信部と、
前記メモリ及び前記送受信部に連結されるプロセッサとを含み、
前記プロセッサは、
ｅＮＢ（ｅＮｏｄｅＢ）からＳＰＳリソース構成を受信するように前記送受信部を制御し、
特定論理チャンネルに対する前記ＳＰＳ活性化と関連した情報を前記ｅＮＢに転送するように前記送受信部を制御する、ＵＥ。
【発明の詳細な説明】
【技術分野】
【０００１】
本発明は、無線通信に関し、より詳しくは、無線通信システムにおける端末（ＵＥ；ｕｓｅｒ  ｅｑｕｉｐｍｅｎｔ）によりトリガされた半静的スケジューリング（ＳＰＳ；ｓｅｍｉ−ｐｅｒｓｉｓｔｅｎｔ  ｓｃｈｅｄｕｌｉｎｇ）活性化を実行するための方法及び装置に関する。
【背景技術】
【０００２】
３ＧＰＰ ＬＴＥは、高速パケット通信を可能とするための技術である。ＬＴＥ目標であるユーザと事業者の費用節減、サービス品質向上、カバレッジ拡張及びシステム容量増大のために多くの方式が提案された。３ＧＰＰ ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
ＬＴＥネットワーク配置趨勢は、全世界で加速化されている。これは、より高いデータ送信率、低い待機時間、及び向上したサービス範囲のようなＬＴＥの固有の利点を活用する、さらに向上したサービス及びインターネットアプリケーションを可能とする。広範に配置されたＬＴＥ基盤ネットワークは、自動車産業が「コネクティッド−カー（ｃｏｎｎｅｃｔｅｄ  ｃａｒｓ）」という概念を実現できる機会を提供する。自動車（車両）にＬＴＥネットワークに対する接続を提供することで、車両をインターネット及び他の車両に連結することにより、広範な既存または新規サービスを構想できる。自動車製造会社及び移動通信網事業者は、商業用アプリケーションだけでなく、近接安全サービスのための車両無線通信に大きな関心を見せている。市場要求事項からＬＴＥ−基盤Ｖ２Ｘ（ｖｅｈｉｃｌｅ−ｔｏ−ｅｖｅｒｙｔｈｉｎｇ）研究が緊急に求められ、特に、Ｖ２Ｖ（ｖｅｈｉｃｌｅ−ｔｏ−ｖｅｈｉｃｌｅ）通信市場は、時間に敏感である。米国／ヨーロッパ／日本／韓国のような一部国家または地域では、コネクティッドカーに対する多くの研究プロジェクト及び現場テストがある。
【０００４】
Ｖ２Ｘは、車両間のＬＴＥ基盤通信を扱うＶ２Ｖ、車両と個人が所持する機器（例えば、歩行者、サイクル搭乗者、運転手、または乗客が所持するハンドヘルド端末）間のＬＴＥ基盤通信を扱うＶ２Ｐ（ｖｅｈｉｃｌｅ−ｔｏ−ｐｅｄｅｓｔｒｉａｎ）、及び車両とＲＳＵ（ｒｏａｄ  ｓｉｄｅ  ｕｎｉｔ）／ネットワークとの間のＬＴＥ基盤通信を扱うＶ２Ｉ（ｖｅｈｉｃｌｅ−ｔｏ−ｉｎｆｒａｓｔｒｕｃｔｕｒｅ／ｎｅｔｗｏｒｋ）を含む。ＲＳＵは、ｅＮＢ（ｅＮｏｄｅＢ）または静的（ｓｔａｔｉｏｎａｒｙ）ＵＥで実現される交通インフラストラクチャ個体（例えば、速度通知を送信する個体）である。
【０００５】
Ｖ２Ｘ通信では遅延に敏感なデータ、例えば、ＤＥＮＭ（ｄｅｃｅｎｔｒａｌｉｚｅｄ  ｅｎｖｉｒｏｎｍｅｎｔａｌ  ｎｏｔｉｆｉｃａｔｉｏｎ  ｍｅｓｓａｇｅ）またはＣＡＭ（ｃｏｏｐｅｒａｔｉｖｅ  ａｗａｒｅｎｅｓｓ  ｍｅｓｓａｇｅ）が時間内に転送されるように遅延（ｌａｔｅｎｃｙ）を減少させることが重要である。
【発明の概要】
【発明が解決しようとする課題】
【０００６】
本発明は、無線通信システムにおける端末（ＵＥ；ｕｓｅｒ  ｅｑｕｉｐｍｅｎｔ）によりトリガされた半静的スケジューリング（ＳＰＳ；ｓｅｍｉ−ｐｅｒｓｉｓｔｅｎｔ  ｓｃｈｅｄｕｌｉｎｇ）活性化を実行するための方法及び装置を提供する。本発明は、ＵＥトリガされたＳＰＳ再活性化及び／または解除を実行するための方法及び装置を提供する。
【課題を解決するための手段】
【０００７】
無線通信システムにおける端末（ＵＥ；ｕｓｅｒ  ｅｑｕｉｐｍｅｎｔ）による半静的スケジューリング（ＳＰＳ；ｓｅｍｉ−ｐｅｒｓｉｓｔｅｎｔ  ｓｃｈｅｄｕｌｉｎｇ）活性化を実行する方法が提供される。前記方法は、ｅＮＢ（ｅＮｏｄｅＢ）からＳＰＳリソース構成を受信し、特定論理チャンネルに対する前記ＳＰＳ活性化と関連した情報を前記ｅＮＢに転送することを含む。
【０００８】
他の態様において、無線通信システムにおける端末（ＵＥ；ｕｓｅｒ  ｅｑｕｉｐｍｅｎｔ）が提供される。前記ＵＥは、メモリ、送受信部、及び前記メモリ及び前記送受信部に連結されるプロセッサを含む。前記プロセッサは、ｅＮＢ（ｅＮｏｄｅＢ）からＳＰＳリソース構成を受信するように前記送受信部を制御し、及び特定論理チャンネルに対する前記ＳＰＳ活性化と関連した情報を前記ｅＮＢに転送するように前記送受信部を制御する。
【発明の効果】
【０００９】
ＵＥがＳＰＳ活性化、再活性化及び／または解除をトリガすることができる。
【図面の簡単な説明】
【００１０】
【図１】ＬＴＥシステムの構造を示す。
【図２】一般的なＥ−ＵＴＲＡＮ及びＥＰＣの構造のブロック図である。
【図３】ＬＴＥシステムのユーザ平面プロトコルスタックのブロック図である。
【図４】ＬＴＥシステムの制御平面プロトコルスタックのブロック図である。
【図５】物理チャンネル構造の一例を示す。
【図６】本発明の一実施例に係るＳＰＳ構成及びＳＰＳ活性化要求の一例を示す。
【図７】本発明の一実施例によってＵＥによるＳＰＳ活性化を実行するための方法を示す。
【図８】発明の実施例が具現される無線通信システムを示す。
【発明を実施するための形態】
【００１１】
以下の技術は、ＣＤＭＡ（code division multiple access）、ＦＤＭＡ（frequency division multiple access）、ＴＤＭＡ（time division multiple access）、ＯＦＤＭＡ（orthogonal frequency division multiple access）、ＳＣ−ＦＤＭＡ（single carrier frequency division multiple access）などのような多様な無線通信システムに使われることができる。ＣＤＭＡは、ＵＴＲＡ（universal terrestrial radio access）やＣＤＭＡ２０００のような無線技術で具現されることができる。ＴＤＭＡは、ＧＳＭ（global system for mobile communications）/ＧＰＲＳ（general packet radio service）/ＥＤＧＥ（enhanced data rates for GSM evolution）のような無線技術で具現されることができる。ＯＦＤＭＡは、ＩＥＥＥ（institute of electrical and electronics engineers）８０２.１１（Ｗｉ−Ｆｉ）、ＩＥＥＥ８０２.１６（ＷｉＭＡＸ）、ＩＥＥＥ８０２.２０、Ｅ−ＵＴＲＡ（evolved UTRA）などのような無線技術で具現されることができる。ＩＥＥＥ８０２.１６ｍは、ＩＥＥＥ８０２.１６ｅの進化であり、ＩＥＥＥ８０２.１６基づくシステムとの後方互換性（backward compatibility）を提供する。ＵＴＲＡは、ＵＭＴＳ（universal mobile telecommunications system）の一部である。３ＧＰＰ（3rd generation partnership project）ＬＴＥ（long term evolution）は、Ｅ−ＵＴＲＡ（evolved-UMTS terrestrial radio access）を使用するＥ−ＵＭＴＳ（evolved UMTS）の一部であり、ダウンリンクでＯＦＤＭＡを採用し、アップリンクでＳＣ−ＦＤＭＡを採用する。ＬＴＥ−Ａ（advanced）は、３ＧＰＰ ＬＴＥの進化である。
【００１２】
説明を明確にするために、ＬＴＥ−Ａを中心に記述するが、本発明の技術的思想がこれに制限されるものではない。
【００１３】
図１は、ＬＴＥシステムの構造を示す。通信ネットワークは、ＩＭＳ及びパケットデータを介したインターネット電話（Voice over internet protocol：ＶｏＩＰ）のような多様な通信サービスを提供するために広く設置される。
【００１４】
図１を参照すると、ＬＴＥシステム構造は、一つ以上の端末（ＵＥ）１０、Ｅ−ＵＴＲＡＮ（evolved-UMTS terrestrial radio access network）及びＥＰＣ（evolved packet core）を含む。端末１０は、ユーザにより動く通信装置である。端末１０は、固定されてもよいし、移動性を有してもよく、ＭＳ（mobile station）、ＵＴ（user terminal）、ＳＳ（subscriber station）、無線機器（wireless device）等、他の用語で呼ばれることもある。
【００１５】
Ｅ−ＵＴＲＡＮは一つ以上のｅＮＢ（evolved node-B）２０を含み、一つのセルに複数のＵＥが存在することができる。ｅＮＢ２０は制御平面（control plane）とユーザ平面（user plane）の終端点をＵＥに提供する。ｅＮＢ２０は一般的にＵＥ１０と通信する固定された地点（fixed station）をいい、ＢＳ（base station）、アクセスポイント（access point）など、他の用語で呼ばれることがある。一つのｅＮＢ２０はセル毎に配置できる。
【００１６】
以下、ＤＬはｅＮＢ２０からＵＥ１０への通信を意味し、ＵＬはＵＥ１０からｅＮＢ２０への通信を意味する。ＤＬで送信機はｅＮＢ２０の一部であり、受信機はＵＥ１０の一部でありうる。ＵＬで送信機はＵＥ１０の一部であり、受信機はｅＮＢ２０の一部でありうる。
【００１７】
ＥＰＣはＭＭＥ（mobility management entity）及びＳ−ＧＷ（serving gateway）を含む。ＭＭＥ／Ｓ−ＧＷ ３０はネットワークの終端に配置できる。明確性のために、本願でＭＭＥ／Ｓ−ＧＷ ３０は単純に“ゲートウェイ”と称されるが、このような個体はＭＭＥ及びＳ−ＧＷを含むものとして理解される。ＰＤＮ（packet data network）ゲートウェイ（Ｐ−ＧＷ）は外部ネットワークに連結できる。
【００１８】
ＭＭＥはｅＮＢ２０へのＮＡＳ（non-access stratum）シグナリング、ＮＡＳシグナリング保安、ＡＳ（access stratum）保安制御、３ＧＰＰアクセスネットワーク間の移動性のためのｉｎｔｅｒ ＣＮ（core network）ノードシグナリング、アイドルモード端末到達可能性（ページング再転送の制御及び実行含み）、トラッキング領域リスト管理（アイドルモード及び活性化モードであるＵＥのために）、Ｐ−ＧＷ（PDN（packet data network）gateway）及びＳ−ＧＷ選択、ＭＭＥ変更と共にハンドオーバーのためのＭＭＥ選択、２Ｇまたは３Ｇ ３ＧＰＰアクセスネットワークへのハンドオーバーのためのＳＧＳＮ（serving GPRS support node）選択、ローミング、認証、専用ベアラ設定を含んだベアラ管理機能、ＰＷＳ（public warning system：地震／津波警報システム（ＥＴＷＳ）、及び常用モバイル警報システム（ＣＭＡＳ）含み）メッセージ転送サポートなどの多様な機能を提供する。Ｓ−ＧＷホストは、ユーザ別基盤パケットフィルタリング（例えば、深層パケット検査を通じて）、合法的遮断、端末ＩＰ（internet protocol）アドレス割当、ＤＬで転送レベルパッキングマーキング、ＵＬ／ＤＬサービスレベル課金、ゲーティング及び等級強制、ＡＰＮ−ＡＭＢＲ（access point name aggregate maximum bit rate）に基づいたＤＬ等級強制の各種の機能を提供する。
【００１９】
ユーザトラフィック転送または制御トラフィック転送のためのインターフェースが使用できる。ＵＥ１０及びｅＮＢ２０は、Ｕｕインターフェースにより連結される。ｅＮＢ２０はＸ２インターフェースにより相互間連結される。隣り合うｅＮＢ２０はＸ２インターフェースによる網型ネットワーク構造を有することができる。複数のノードはｅＮＢ２０とゲートウェイ３０との間にＳ１インターフェースを介して連結できる。
【００２０】
図２は、一般的なＥ−ＵＴＲＡＮ及びＥＰＣの構造のブロック図である。図２を参照すると、ｅＮＢ２０はゲートウェイ３０に対する選択、ＲＲＣ（radio resource control）活性（activation）の間ゲートウェイ３０へのルーティング（routing）、ページングメッセージのスケジューリング及び転送、ＢＣＨ（broadcast channel）情報のスケジューリング及び転送、ＵＬ及びＤＬからＵＥ１０への資源の動的割当、ｅＮＢ測定の設定（configuration）及び提供（provisioning）、無線ベアラ制御、ＲＡＣ（radio admission control）及びＬＴＥ活性状態で連結移動性制御機能を遂行することができる。前述したように、ゲイウェイ３０はＥＰＣでページング開始、ＬＴＥアイドル状態管理、ユーザ平面の暗号化、ＳＡＥベアラ制御及びＮＡＳシグナリングの暗号化と無欠性保護機能を遂行することができる。
【００２１】
図３はＬＴＥシステムのユーザ平面プロトコルスタックのブロック図である。図４はＬＴＥシステムの制御平面プロトコルスタックのブロック図である。ＵＥとＥ−ＵＴＲＡＮとの間の無線インターフェースプロトコルの階層は通信システムで広く知られたＯＳＩ（open system interconnection）モデルの下位３個階層に基づいて、Ｌ１（第１階層）、Ｌ２（第２階層）、及びＬ３（第３階層）に区分される。
【００２２】
物理階層（ＰＨＹ；physical layer）はＬ１に属する。物理階層は物理チャンネルを介して上位階層に情報転送サービスを提供する。物理階層は上位階層であるＭＡＣ（media access control）階層と転送チャンネル（transport channel）を介して連結される。物理チャンネルは、転送チャンネルにマッピングされる。転送チャンネルを介してＭＡＣ階層と物理階層との間にデータが転送される。互いに異なる物理階層の間、即ち送信機の物理階層と受信機の物理階層との間にデータは物理チャンネルを介して転送される。
【００２３】
ＭＡＣ階層、ＲＬＣ（radio link control）階層、及びＰＤＣＰ（packet data convergence protocol）階層はＬ２に属する。ＭＡＣ階層は、論理チャンネル（logical channel）を介して上位階層であるＲＬＣ階層にサービスを提供する。ＭＡＣ階層は、論理チャンネル上のデータ転送サービスを提供する。ＲＬＣ階層は、信頼性あるデータ転送をサポートする。一方、ＲＬＣ階層の機能はＭＡＣ階層の内部の機能ブロックで具現されることができ、この際、ＲＬＣ階層は存在しないこともある。ＰＤＣＰ階層は、相対的に帯域幅の小さい無線インターフェース上でＩＰｖ４またはＩＰｖ６のようなＩＰパケットを導入して転送されるデータが効率良く転送されるように不要な制御情報を減らすヘッダー圧縮機能を提供する。
【００２４】
ＲＲＣ（radio resource control）階層は、Ｌ３に属する。Ｌ３の最も下端部分に位置するＲＲＣ階層はただ制御平面のみで定義される。ＲＲＣ階層は、ＲＢ（radio bearer）などの設定（configuration）、再設定（re-configuration）、及び解除（release）と関連して論理チャンネル、転送チャンネル、及び物理チャンネルなどの制御を担当する。ＲＢは、ＵＥとＥ−ＵＴＲＡＮとの間のデータ転送のためにＬ２により提供されるサービスを意味する。
【００２５】
図３を参照すると、ＲＬＣ及びＭＡＣ階層（ネットワーク側におけるｅＮＢで終了）は、スケジューリング、ＡＲＱ及びＨＡＲＱのような機能を遂行することができる。ＰＤＣＰ階層（ネットワーク側におけるｅＮＢで終了）は、ヘッダー圧縮、無欠性保護、及び暗号化のようなユーザ平面機能を遂行することができる。
【００２６】
図３−（ｂ）を参照すると、ＲＬＣ／ＭＡＣ階層（ネットワーク側におけるｅＮＢで終了）は、制御平面のために同一な機能を遂行することができる。ＲＲＣ階層（ネットワーク側におけるｅＮＢで終了）は、放送、ページング、ＲＲＣ連結管理、ＲＢ制御、移動性機能、及びＵＥ測定報告及び制御のような機能を遂行することができる。ＮＡＳ制御プロトコル（ネットワーク側におけるゲートウェイのＭＭＥで終了）は、ＳＡＥベアラ管理、認証、ＬＴＥ＿ＩＤＬＥ移動性管理、ＬＴＥ＿ＩＤＬＥにおけるページング開始、及びゲートウェイとＵＥとの間のシグナリングのための保安制御などの機能を遂行することができる。
【００２７】
図５は、物理チャンネル構造の一例を示す。物理チャンネルは、無線資源を通じてＵＥの物理階層とｅＮＢの物理階層との間のシグナリング及びデータを転送する。物理チャンネルは、時間領域で複数のサブフレームと周波数領域で複数の副搬送波で構成される。１ｍｓである一つのサブフレームは、時間領域で複数のシンボルで構成される。該当サブフレームの特定シンボル、例えばサブフレームの第１のシンボルはＰＤＣＣＨのために使用できる。ＰＤＣＣＨは、ＰＲＢ（physical resource block）及びＭＣＳ（modulation and coding schemes）のように動的に割り当てられた資源を運ぶことができる。
【００２８】
ＤＬ転送チャンネルは、システム情報を転送するために使われるＢＣＨ（broadcast channel）、ＵＥをページングするために使われるＰＣＨ（paging channel）、ユーザトラフィックまたは制御信号を転送するために使われるＤＬ−ＳＣＨ（downlink shared channel）、マルチキャストまたはブロードキャストサービス転送のために使われるＭＣＨ（multicast channel）などを含む。ＤＬ−ＳＣＨは、ＨＡＲＱ、変調、コーディング及び転送電力の変化による動的リンク適応及び動的／半静的資源割当をサポートする。また、ＤＬ−ＳＣＨはセル全体にブロードキャスト及びビームフォーミングの使用を可能にすることができる。
【００２９】
ＵＬ転送チャンネルは、一般的にセルへの初期接続のために使われるＲＡＣＨ（random access channel）、ユーザトラフィック、または制御信号を転送するために使われるＵＬ−ＳＣＨ（uplink shared channel）などを含む。ＵＬ−ＳＣＨは、ＨＡＲＱ及び転送電力及び潜在的な変調及びコーディングの変化による動的リンク適応をサポートする。また、ＵＬ−ＳＣＨはビームフォーミングの使用を可能にすることができる。
【００３０】
論理チャンネルは、転送される情報の種類によって、制御平面の情報伝達のための制御チャンネルとユーザ平面の情報伝達のためのトラフィックチャンネルに分類される。即ち、論理チャンネルタイプの集合はＭＡＣ階層により提供される互いに異なるデータ転送サービスのために定義される。
【００３１】
制御チャンネルは、制御平面の情報伝達のみのために使われる。ＭＡＣ階層により提供される制御チャンネルは、ＢＣＣＨ（broadcast control channel）、ＰＣＣＨ（paging control channel）、ＣＣＣＨ（common control channel）、ＭＣＣＨ（multicast control channel）、及びＤＣＣＨ（dedicated control channel）を含む。ＢＣＣＨは、システム制御情報を放送するためのＤＬチャンネルである。ＰＣＣＨは、ページング情報の転送のためのＤＬチャンネルであり、ネットワークがＵＥのセル単位の位置を知らない時に使われる。ＣＣＣＨは、ネットワークとＲＲＣ連結を有しない時、ＵＥにより使われる。ＭＣＣＨは、ネットワークからＵＥにＭＢＭＳ（multimedia broadcast multicast services）制御情報を転送するために使われる一対多のＤＬチャンネルである。ＤＣＣＨは、ＵＥとネットワークとの間に専用制御情報転送のためにＲＲＣ連結を有するＵＥにより使われる一対一の両方向チャンネルである。
【００３２】
トラフィックチャンネルは、ユーザ平面の情報伝達のみのために使われる。ＭＡＣ階層により提供されるトラフィックチャンネルは、ＤＴＣＨ（dedicated traffic channel）及びＭＴＣＨ（multicast traffic channel）を含む。ＤＴＣＨは一対一のチャンネルであって、一つのＵＥのユーザ情報の転送のために使われて、ＵＬ及びＤＬ全てに存在することができる。ＭＴＣＨは、ネットワークからＵＥにトラフィックデータを転送するための一対多のＤＬチャンネルである。
【００３３】
論理チャンネルと転送チャンネルとの間のＵＬ連結は、ＵＬ−ＳＣＨにマッピングできるＤＣＣＨ、ＵＬ−ＳＣＨにマッピングできるＤＴＣＨ、及びＵＬ−ＳＣＨにマッピングできるＣＣＣＨを含む。論理チャンネルと転送チャンネルとの間のＤＬ連結は、ＢＣＨまたはＤＬ−ＳＣＨにマッピングできるＢＣＣＨ、ＰＣＨにマッピングできるＰＣＣＨ、ＤＬ−ＳＣＨにマッピングできるＤＣＣＨ、ＤＬ−ＳＣＨにマッピングできるＤＴＣＨ、ＭＣＨにマッピングできるＭＣＣＨ、及びＭＣＨにマッピングできるＭＴＣＨを含む。
【００３４】
ＲＲＣ状態はＵＥのＲＲＣ階層がＥ−ＵＴＲＡＮのＲＲＣ階層と論理的に連結されているか否かを指示する。ＲＲＣ状態は、ＲＲＣ連結状態（ＲＲＣ＿ＣＯＮＮＥＣＴＥＤ）及びＲＲＣアイドル状態（ＲＲＣ＿ＩＤＬＥ）のように２種類に分けられる。ＲＲＣ＿ＩＤＬＥで、ＵＥがＮＡＳにより設定されたＤＲＸ（discontinuous reception）を指定する間に、ＵＥはシステム情報及びページング情報の放送を受信することができる。そして、ＵＥはトラッキング領域でＵＥを固有に指定するＩＤ（identification）の割当を受けて、ＰＬＭＮ（public land mobile network）選択及びセル再選択を遂行することができる。またＲＲＣ＿ＩＤＬＥで、いかなるＲＲＣコンテクストもｅＮＢに格納されない。
【００３５】
ＲＲＣ＿ＣＯＮＮＥＣＴＥＤで、ＵＥはＥ−ＵＴＲＡＮでＥ−ＵＴＲＡＮ ＲＲＣ連結及びコンテクストを有して、ｅＮＢにデータを転送及び／又はｅＮＢからデータを受信することが可能である。また、ＵＥはｅＮＢにチャンネル品質情報及びフィードバック情報を報告することができる。ＲＲＣ＿ＣＯＮＮＥＣＴＥＤで、Ｅ−ＵＴＲＡＮはＵＥが属したセルを知ることができる。したがって、ネットワークはＵＥにデータを転送及び／又はＵＥからデータを受信することができ、ネットワークはＵＥの移動性（ハンドオーバー及びＮＡＣＣ（network assisted cell change）を通じてのＧＥＲＡＮ（GSM EDGE radio access network）でｉｎｔｅｒ−ＲＡＴ（radio access technology）セル変更指示）を制御することができ、ネットワークは隣り合うセルのためにセル測定を遂行することができる。
【００３６】
ＲＲＣ＿ＩＤＬＥで、ＵＥはページングＤＲＸ周期を指定する。具体的に、ＵＥはＵＥ特定ページングＤＲＸ周期毎の特定ページング機会（paging occasion）にページング信号をモニターする。ページング機会は、ページング信号が転送される間の時間区間である。ＵＥは、自分だけのページング機会を有している。ページングメッセージは、同一なトラッキング領域（ＴＡ；tracking area）に属する全てのセル上に転送される。ＵＥが一つのＴＡから他のＴＡに移動すれば、ＵＥは自身の位置をアップデートするためにネットワークにＴＡＵ（tracking area update）メッセージを転送することができる。
【００３７】
半静的スケジューリング（ＳＰＳ；ｓｅｍｉ−ｐｅｒｓｉｓｔｅｎｔ  ｓｃｈｅｄｕｌｉｎｇ）が説明される。Ｅ−ＵＴＲＡＮは、ＵＥに対する第１のＨＡＲＱ転送のために半静的ＤＬリソースを割り当てることができる。ＲＲＣは、半静的ＤＬグラント周期を定義する。ＰＤＣＣＨは、ＤＬグラントが半静的グラントかどうか、即ち、ＲＲＣにより定義された周期性によって次のＴＴＩで暗示的に再使用されることができるかどうかを示す。
【００３８】
必要な場合、再転送は、ＰＤＣＣＨ（ら）を介して明示的にシグナリングされる。ＵＥが半静的ＤＬリソースを有するサブフレームで、ＵＥがＰＤＣＣＨ（ら）を介して自分のＣ−ＲＮＴＩ（ｃｅｌｌ  ｒａｄｉｏ  ｎｅｔｗｏｒｋ  ｔｅｍｐｏｒａｒｙ  ｉｄｅｎｔｉｔｙ）をさがすことができない場合は、該当ＴＴＩでＵＥに割り当てられた半静的割当によるＤＬ転送が割り当てられたと仮定する。そうでない場合、ＵＥが半静的ＤＬリソースを有するサブフレームで、ＵＥがＰＤＣＣＨ（ら）で自分のＣ−ＲＮＴＩをさがす場合は、そのＴＴＩに対してＰＤＣＣＨ割当が半静的割当に優先し、ＵＥは、半静的リソースをデコーディングしない。
【００３９】
キャリアアグリゲーション（ＣＡ；ｃａｒｒｉｅｒ  ａｇｇｒｅｇａｔｉｏｎ）が構成される場合、ＰＣｅｌｌ（ｐｒｉｍａｒｙ  ｃｅｌｌ）に対してのみ半静的ＤＬリソースが構成されることができ、ＰＣｅｌｌに対するＰＤＣＣＨ割当のみが半静的割当に優先することができる。二重連結（ＤＣ；ｄｕａｌ  ｃｏｎｎｅｃｔｉｖｉｔｙ）が構成された場合、半静的ＤＬリソースは、ＰＣｅｌｌまたはＰＳＣｅｌｌ（ｐｒｉｍａｒｙ  ｓｅｃｏｎｄａｒｙ  ｃｅｌｌ）に対してのみ構成されることができる。ＰＣｅｌｌに対するＰＤＣＣＨ割当のみがＰＣｅｌｌに対する半静的割当に優先することができ、ＰＳＣｅｌｌに対するＰＤＣＣＨ割当のみがＰＳＣｅｌｌに対する半静的割当に優先することができる。
【００４０】
また、Ｅ−ＵＴＲＡＮは、第１のＨＡＲＱ転送及び潜在的な再転送のために半静的ＵＬリソースをＵＥに割り当てることができる。ＲＲＣは、半静的ＵＬグラントの周期を定義する。ＰＤＣＣＨは、ＵＬグラントが半静的かどうか、即ち、ＲＲＣにより定義された周期性によって次のＴＴＩで暗示的に再使用されることができるかどうかを示す。
【００４１】
ＵＥが半静的ＵＬリソースを使用するサブフレームで、ＵＥが自分のＣ−ＲＮＴＩをＰＤＣＣＨ（ら）を介してさがすことができない場合は、該当ＴＴＩでＵＥに割り当てられた半静的割当によるＵＬ転送が行われることができる。ネットワークは、事前定義されたＭＣＳによって事前−定義されたＰＲＢのデコーディングを実行する。そうでない場合、ＵＥが半静的ＵＬリソースを有するサブフレームで、ＵＥがＰＤＣＣＨ（ら）を介して自分のＣ−ＲＮＴＩをさがす場合は、ＰＤＣＣＨ割当は、そのＴＴＩに対して半静的割当に優先し、ＵＥの転送は、半静的割当でない、ＰＤＣＣＨ割当に従う。再転送は、暗示的に割り当てられ、このような場合、ＵＥは、半静的ＵＬ割当を使用し、またはＰＤＣＣＨ（ら）を介して明示的に割り当てられ、このような場合、ＵＥは、半静的割当に従わない。
【００４２】
ＤＬと同様に、半静的ＵＬリソースもＰＣｅｌｌに対してのみ構成されることができ、ＰＣｅｌｌに対するＰＤＣＣＨ割当のみが半静的割当に優先することができる。ＤＣが構成された場合、半静的ＵＬリソースは、ＰＣｅｌｌまたはＰＳＣｅｌｌに対してのみ構成されることができる。ＰＣｅｌｌに対するＰＤＣＣＨ割当のみがＰＣｅｌｌに対する半静的割当に優先することができ、ＰＳＣｅｌｌに対するＰＤＣＣＨ割当のみがＰＳＣｅｌｌに対する半静的割当に優先することができる。
【００４３】
ＲＲＣによりＳＰＳが使用可能な場合、下記の情報が提供される：
【００４４】
−ＳＰＳ  Ｃ−ＲＮＴＩ；
【００４５】
−ＵＬに対してＳＰＳが活性化される場合、ＵＬ  ＳＰＳインターバルｓｅｍｉＰｅｒｓｉｓｔＳｃｈｅｄＩｎｔｅｒｖａｌＵＬ及び暗示的解除以前の空（ｅｍｐｔｙ）転送の個数ｉｍｐｌｉｃｉｔＲｅｌｅａｓｅＡｆｔｅｒ；
【００４６】
−ＴＤＤ（ｔｉｍｅ  ｄｉｖｉｓｉｏｎ  ｄｕｐｌｅｘ）に対してのみ、ｔｗｏＩｎｔｅｒｖａｌｓＣｏｎｆｉｇがＵＬに対して使用可能かどうか；
【００４７】
−ＵＬに対してＳＰＳが活性化される場合、ＳＰＳインターバルｓｅｍｉＰｅｒｓｉｓｔＳｃｈｅｄＩｎｔｅｒｖａｌＤＬ及びＳＰＳに対して構成されたＨＡＲＱプロセスの個数ｎｕｍｂｅｒＯｆＣｏｎｆＳＰＳ−Ｐｒｏｃｅｓｓｅｓ；
【００４８】
ＵＬまたはＤＬに対するＳＰＳがＲＲＣにより使用可能でない場合、対応する構成されたグラントまたは構成された割当は廃棄されなければならない。
【００４９】
前記情報は、ＳＰＳ−Ｃｏｎｆｉｇ  ＩＥ（ｉｎｆｏｒｍａｔｉｏｎ  ｅｌｅｍｅｎｔ）で伝達されることができる。ＩＥ  ＳＰＳ−Ｃｏｎｆｉｇは、ＳＰＳ構成を特定するときに使われる。表１は、ＳＰＳ−Ｃｏｎｆｉｇ  ＩＥを示す。
【００５０】
【表１】
2019504573.tif 000003
【００５１】
前述した通り、ＳＰＳ−Ｃｏｎｆｉｇ  ＩＥは、ＳＰＳ  Ｃ−ＲＮＴＩ（ｓｅｍｉＰｅｒｓｉｓｔＳｃｈｅｄＣ−ＲＮＴＩ）、ＵＬ  ＳＰＳインターバル（ｓｅｍｉＰｅｒｓｉｓｔＳｃｈｅｄＩｎｔｅｒｖａｌＵＬ）及び暗示的解除以前の空の転送の個数（ｉｍｐｌｉｃｉｔＲｅｌｅａｓｅＡｆｔｅｒ）、ｔｗｏＩｎｔｅｒｖａｌｓＣｏｎｆｉｇがＵＬに対して使用可能かどうか（ｔｗｏＩｎｔｅｒｖａｌｓＣｏｎｆｉｇ）及びＳＰＳがＤＬに対して使用可能な場合、ＤＬ  ＳＰＳインターバル（ｓｅｍｉＰｅｒｓｉｓｔＳｃｈｅｄＩｎｔｅｒｖａｌＤＬ）及び構成されたＨＡＲＱプロセス数（ｎｕｍｂｅｒＯｆＣｏｎｆＳＰＳ−Ｐｒｏｃｅｓｓｅｓ）のうち少なくとも一つを含むことができる。
【００５２】
ＳＰＳ−Ｃｏｎｆｉｇ  ＩＥは、ＲａｄｉｏＲｅｓｏｕｒｃｅＣｏｎｆｉｇＤｅｄｉｃａｔｅｄ  ＩＥに含まれることができる。ＩＥ  ＲａｄｉｏＲｅｓｏｕｒｃｅＣｏｎｆｉｇＤｅｄｉｃａｔｅｄは、ＲＢを設定／修正／解除し、ＭＡＣ主要構成を修正し、ＳＰＳ構成を修正し、専用物理構成の修正に使われる。ＲａｄｉｏＲｅｓｏｕｒｃｅＣｏｎｆｉｇＤｅｄｉｃａｔｅｄ  ＩＥは、ＲＲＣＣｏｎｎｅｃｔｉｏｎＲｅｃｏｎｆｉｇｕｒａｔｉｏｎメッセージ、ＲＲＣＣｏｎｎｅｃｔｉｏｎＲｅｅｓｔａｂｌｉｓｈｍｅｎｔメッセージまたはＲＲＣＣｏｎｎｅｃｔｉｏｎＳｅｔｕｐメッセージのうち一つに含まれることができる。表２は、ＲａｄｉｏＲｅｓｏｕｒｃｅＣｏｎｆｉｇＤｅｄｉｃａｔｅｄ  ＩＥを示す。
【００５３】
【表２】
2019504573.tif 000004
【００５４】
表２を参照すると、ＲａｄｉｏＲｅｓｏｕｒｃｅＣｏｎｆｉｇＤｅｄｉｃａｔｅｄ  ＩＥは、ＳＰＳ−Ｃｏｎｆｉｇ  ＩＥを含むことができる。ＭＣＧ（ｍａｓｔｅｒ  ｃｅｌｌ  ｇｒｏｕｐ）に対してＳＰＳ解除またはハンドオーバーを除いて、Ｅ−ＵＴＲＡＮは、ＭＣＧに対して構成されたＤＬ割当または構成されたＵＬグラントがある場合、ＭＣＧに対してＳＰＳ−Ｃｏｎｆｉｇを再構成しない。ＳＣＧ変更またはＳＣＧに対するＳＰＳ解除を除いて、Ｅ−ＵＴＲＡＮは、ＳＣＧに対して構成されたＤＬ割当または構成されたＵＬグラントがある場合、ＳＣＧに対するＳＰＳ−Ｃｏｎｆｉｇを再構成しない。
【００５５】
ＳＰＳ  ＤＬ割当が構成された後、ＭＡＣ個体は、下記のようなサブフレームでＮ番目の割当が発生すると順次に考慮しなければならない：
【００５６】
−（１０＊ＳＦＮ＋ｓｕｂｆｒａｍｅ）＝［（１０＊ＳＦＮｓｔａｒｔ ｔｉｍｅ＋ｓｕｂｆｒａｍｅｓｔａｒｔ ｔｉｍｅ）＋Ｎ＊ｓｅｍｉＰｅｒｓｉｓｔＳｃｈｅｄＩｎｔｅｒｖａｌＤＬ］ｍｏｄｕｌｏ  １０２４０、
【００５７】
ここで、ＳＦＮｓｔａｒｔ ｔｉｍｅ及びｓｕｂｆｒａｍｅｓｔａｒｔ ｔｉｍｅは、構成されたＤＬ割当が（再−）初期化された時点で、各々、システムフレーム番号（ＳＦＮ；ｓｙｓｔｅｍ  ｆｒａｍｅ  ｎｕｍｂｅｒ）及びサブフレームである。
【００５８】
ＳＰＳ  ＵＬグラントが構成された後、ＭＡＣ個体は、下記を実行する。
【００５９】
１＞ｔｗｏＩｎｔｅｒｖａｌｓＣｏｎｆｉｇが上位階層により使用可能な場合：
【００６０】
２＞以下の表３によってＳｕｂｆｒａｍｅ＿Ｏｆｆｓｅｔを設定する。
【００６１】
【表３】
2019504573.tif 000005
【００６２】
１＞そうでない場合：
【００６３】
２＞Ｓｕｂｆｒａｍｅ＿Ｏｆｆｓｅｔを０に設定する。
【００６４】
１＞次のサブフレームでＮ番目のグラントを順次に考慮する：
【００６５】
２＞（１０＊ＳＦＮ＋ｓｕｂｆｒａｍｅ）＝［（１０＊ＳＦＮｓｔａｒｔ ｔｉｍｅ＋ｓｕｂｆｒａｍｅｓｔａｒｔ ｔｉｍｅ）＋Ｎ＊ｓｅｍｉＰｅｒｓｉｓｔＳｃｈｅｄＩｎｔｅｒｖａｌＵＬ＋Ｓｕｂｆｒａｍｅ＿Ｏｆｆｓｅｔ＊（Ｎ  ｍｏｄｕｌｏ  ２）］ｍｏｄｕｌｏ  １０２４０、
【００６６】
ここで、ＳＦＮｓｔａｒｔ ｔｉｍｅ及びｓｕｂｆｒａｍｅｓｔａｒｔ ｔｉｍｅは、構成されたＵＬグラントが（再−）初期化された時点で、各々、ＳＦＮ及びサブフレームである。
【００６７】
各々０個のＭＡＣ  ＳＤＵ（ｓｅｒｖｉｃｅ  ｄａｔａ  ｕｎｉｔ）を含む連続的な新規ＭＡＣ  ＰＤＵの個数ｉｍｐｌｉｃｉｔＲｅｌｅａｓｅＡｆｔｅｒが多重化及びアセンブリー個体により提供された以後に、ＭＡＣ個体は、構成されたＵＬグラントをＳＰＳリソース上で直ちにクリアしなければならない。
【００６８】
Ｖ２Ｘ（ｖｅｈｉｃｌｅ−ｔｏ−ｅｖｅｒｙｔｈｉｎｇ）通信が説明される。Ｖ２Ｘ通信には、Ｖ２Ｖ（ｖｅｈｉｃｌｅ−ｔｏ−ｖｅｈｉｃｌｅ）通信、Ｖ２Ｉ（ｖｅｈｉｃｌｅ−ｔｏ−ｉｎｆｒａｓｔｒｕｃｔｕｒｅ）通信、及びＶ２Ｐ（ｖｅｈｉｃｌｅ−ｔｏ−ｐｅｄｅｓｔｒｉａｎ）通信の３つの類型がある。このような３つの類型のＶ２Ｘは、「相互−協力認識（ｃｏ−ｏｐｅｒａｔｉｖｅ  ａｗａｒｅｎｅｓｓ）」を利用して最終ユーザにさらに知能的なサービスを提供できる。これは、車両、道路側インフラストラクチャ、及び歩行者のような伝達個体等が、協同衝突警告または自律走行のような知能型サービスを提供するために、当該知識を処理し、共有するために当該地域環境（例えば、近接した他の車両またはセンサー機器から受信した情報）の知識を収集できるということを意味する。
【００６９】
Ｖ２Ｘサービスは、３ＧＰＰ送信を介してＶ２Ｖアプリケーションを使用する送信または受信ＵＥが参加するタイプの通信サービスである。通信に参加する相手方によって、Ｖ２Ｖサービス、Ｖ２Ｉサービス、Ｖ２Ｐサービス、及びＶ２Ｎ（ｖｅｈｉｃｌｅ−ｔｏ−ｎｅｔｗｏｒｋ）サービスに分けることができる。Ｖ２Ｖサービスは、Ｖ２Ｘサービスの１つのタイプであり、通信の両当事者は、Ｖ２Ｘアプリケーションを使用するＵＥである。Ｖ２Ｉサービスは、Ｖ２Ｘサービスの１つのタイプであり、１つの当事者は、ＵＥであり、相手方がＲＳＵ（ｒｏａｄ  ｓｉｄｅ  ｕｎｉｔ）であり、両当事者は共にＶ２Ｉアプリケーションを使用する。ＲＳＵは、Ｖ２Ｉアプリケーションを利用してＵＥに送信し、ＵＥから受信できるＶ２Ｉサービスを支援する個体である。ｅＮＢまたは固定ＵＥにおいてＲＳＵが実現される。Ｖ２Ｐサービスは、Ｖ２Ｘサービスの１つのタイプであり、通信の両当事者がＶ２Ｐアプリケーションを使用するＵＥである。Ｖ２Ｎサービスは、Ｖ２Ｘのサービスの１つのタイプであり、１つの当事者は、ＵＥであり、他の当事者は、サービング個体であり、両当事者は共にＶ２Ｎアプリケーションを使用し、ＬＴＥネットワーク個体を介して相互間に通信する。
【００７０】
Ｖ２Ｖに対して、Ｅ−ＵＴＲＡＮは、許可、認証、及び近接性基準が満たされるとき、互いに近接したＵＥがＥ−ＵＴＲＡ（Ｎ）を使用してＶ２Ｖ関連情報を交換することを許諾する。近接性基準は、モバイルネットワーク運営者（ＭＮＯ；ｍｏｂｉｌｅ  ｎｅｔｗｏｒｋ  ｏｐｅｒａｔｏｒ）により構成されることができる。しかし、Ｖ２Ｖサービスを支援するＵＥは、Ｖ２Ｘサービスを支援するＥ−ＵＴＲＡＮがサービスを提供するか、提供しないとき、そのような情報を交換できる。Ｖ２Ｖアプリケーションを支援するＵＥは（例えば、Ｖ２Ｖサービスの一部として、その位置、動態（ｄｙｎａｍｉｃｓ）、及び属性に関する）、アプリケーション階層情報を送信する。Ｖ２Ｖペイロードは、相違した情報コンテンツを収容するために、柔軟性がなければならず、前記情報は、ＭＮＯにより提供される構成によって周期的に送信されることができる。Ｖ２Ｖは、主に放送−基盤である。Ｖ２Ｖは、他のＵＥ間のＶ２Ｖ関連アプリケーション情報の直接的な交換を含み、そして／またはＶ２Ｖの制限された直接通信範囲により、他のＵＥ間のＶ２Ｖ関連アプリケーション情報の交換は、Ｖ２Ｘサービスを支援するインフラストラクチャ、例えば、ＲＳＵ、アプリケーションサーバ等を経由することを含む。
【００７１】
Ｖ２Ｉに対して、Ｖ２Ｉアプリケーションを支援するＵＥは、アプリケーション階層情報をＲＳＵに送信する。ＲＳＵは、アプリケーション階層情報をＵＥのグループまたはＶ２Ｉアプリケーションを支援するＵＥに送信する。また、１つの当事者は、ＵＥであり、他の当事者は、サービング個体であり、両当事者は共にＶ２Ｎアプリケーションを支援し、ＬＴＥネットワークを介して相互間に通信する、Ｖ２Ｎがさらに導入される。
【００７２】
Ｖ２Ｐに対して、Ｅ−ＵＴＲＡＮは、許可、認証、及び近接性基準が満たされるとき、互いに近接したＵＥがＥ−ＵＴＲＡＮを利用してＶ２Ｐ関連情報を交換することを許諾する。近接性基準は、ＭＮＯにより構成されることができる。しかし、Ｖ２Ｐサービスを支援するＵＥは、Ｖ２Ｘサービスを支援するＥ−ＵＴＲＡＮによりサービスが提供されないときにも、そのような情報を交換できる。Ｖ２Ｐアプリケーションを支援するＵＥは、アプリケーション階層情報を送信する。このような情報は、Ｖ２Ｘサービスを支援するＵＥを用いて車両により放送されるか（例えば、歩行者に警告）、及び／又はＶ２Ｘサービスを支援するＵＥを用いて歩行者により放送（例えば、車両に警告）されることができる。Ｖ２Ｐは、他のＵＥ（車両に対する１つ及び歩行者に対する残り）間のＶ２Ｐ関連アプリケーション情報の直接的な交換を含み、そして／またはＶ２Ｐの制限された直接通信範囲により、他のＵＥ間のＶ２Ｐ関連アプリケーション情報の交換は、Ｖ２Ｘサービスを支援するインフラストラクチャ、例えば、ＲＳＵ、アプリケーションサーバなどを経由することを含む。
【００７３】
従来技術によると、ＳＰＳを利用したＵＬ転送は、ユーザデータの生成と構成されたＳＰＳリソースとの間のギャップが大きい場合、多少の遅延を誘発することができる。したがって、ＳＰＳがＶ２Ｘ通信のように遅延に敏感なトラフィックに使われる場合、ＳＰＳスケジューリングインターバルは、遅延要求事項をサポートするに足りるほど小さいべきである。しかし、ＵＥが構成されたＳＰＳリソースを十分に利用できない場合もあるため、より小さいＳＰＳスケジューリングインターバルは、より多くのオーバーヘッドを招くことができる。したがって、ユーザデータ生成と構成されたＳＰＳリソースとの間のギャップは小さいべきであり、ＳＰＳスケジューリングインターバルは、遅延要求事項を満たすために適合しなければならない。現在、このような機能をサポートするメカニズムはない。
【００７４】
したがって、本発明によるＵＥによりトリガされるＳＰＳ活性化、再活性化及び／または解除を実行するための方法が提案される。本発明の一実施例によると、ＵＥは、一つ以上の特定論理チャンネルに対するＳＰＳ構成を受信することができる。ＵＥは、システム情報、ＲＲＣ連結設定メッセージ、ＲＲＣ連結再設定メッセージまたはＲＲＣ連結解除メッセージを介して特定論理チャンネルに対するＳＰＳ構成を受信することができる。特定論理チャンネル（ら）に対してデータが利用可能になる場合、ＵＥは、ｅＮＢにＳＰＳ活性化を要求してｅＮＢから受信されたＳＰＳ活性化命令によって、構成されたＳＰＳリソースを使用してＵＬ転送を実行することができる。ＵＥは、ＰＵＣＣＨ（ｐｈｙｓｉｃａｌ  ｕｐｌｉｎｋ  ｃｏｎｔｒｏｌ  ｃｈａｎｎｅｌ）、ＭＡＣ  ＣＥ（ｃｏｎｔｒｏｌ  ｅｌｅｍｅｎｔ）またはＲＲＣメッセージを介してｅＮＢにＳＰＳ活性化要求を転送することができる。即ち、ＵＥは、ＳＰＳ活性化の要求に使われる制御リソースを使用することでｅＮＢにＳＰＳ活性化要求を転送することができる。制御リソースは、ＰＵＣＣＨリソース、ランダムアクセスリソース、または新しいＵＬ制御チャンネルリソースである。また、ＵＥは、例えば、ＲＲＣ連結（再−）確立の間に、ハンドオーバー間に、ハンドオーバー以後に、またはＲＲＣ＿ＣＯＮＮＥＣＴＥＤでｅＮＢにＳＰＳ活性化要求を転送することができる。
【００７５】
ＵＥは、転送するＵＬデータが存在する場合、ｅＮＢにＳＰＳ活性化を能動的に要求するため、ＵＬデータの生成と構成されたＳＰＳリソースとの間のギャップは減少されることができる。
【００７６】
本発明の他の実施例において、ＵＥは、特定ＰＤＮに対するまたは特定サービス／アプリケーション、例えば、Ｖ２Ｘ通信に対するＳＰＳ構成を受信することができる。ＵＥは、システム情報、ＲＲＣ連結設定メッセージ、ＲＲＣ連結再−確立メッセージまたはＲＲＣ連結解除メッセージを介して特定ＰＤＮまたは特定サービス／アプリケーションに対するＳＰＳを受信することができる。ＲＲＣ＿ＩＤＬＥ状態またはＲＲＣ中止状態にある間に、特定ＰＤＮまたは特定サービス／アプリケーションに対するデータが利用可能な場合、ＵＥのＮＡＳ階層は、周期的／ＳＰＳリソース要求に設定された確立原因でＲＲＣ連結（再−）確立をトリガすることができる。ＵＥは、ＲＲＣ連結（再−確立）要求メッセージでｅＮＢにＳＰＳ活性化を要求した後、ｅＮＢから受信したＳＰＳ活性化命令によって、構成されたＳＰＳリソースを使用してＵＬ転送を実行することができる。
【００７７】
図６は、本発明の一実施例に係るＳＰＳ構成及びＳＰＳ活性化要求の一例を示す。図６は、ｅＮＢ／ＵＥが本発明の一実施例によってＳＰＳリソースをどのように構成して活性化するかを示す。この実施例において、ＵＥは、任意のＲＲＣ状態、即ち、ＲＲＣ＿ＣＯＮＮＥＣＴＥＤ、ＲＲＣ＿ＩＤＬＥまたはＲＲＣ中止状態にある。この実施例において、ＳＰＳリソースは、Ｖ２Ｘ通信またはＶ２Ｘ関連チャンネルに独占的に使われることができる。例えば、ＳＰＳリソースは、ただ一つ以上の特定チャンネル、例えば、Ｖ２Ｘメッセージを転送するように構成された論理チャンネルを介してデータを運搬するために承認されることができるように、Ｖ２Ｘメッセージの転送にのみ使われることができる。
【００７８】
１．ステップ１
【００７９】
ｅＮＢは、ＲＲＣシグナリングによりＵＥにＳＰＳ構成（ＳＰＳ−Ｃｏｎｆｉｇ）を提供する。ＳＰＳ−Ｃｏｎｆｉｇは、下記の情報のうち少なくとも一つの一部を含むことができる。
【００８０】
−ＳＰＳリソースの時間／周波数情報
【００８１】
−ＳＰＳリソースのインターバル、即ち、ＳＰＳスケジューリングインターバル
【００８２】
−ＳＰＳ  Ｃ−ＲＮＴＩ（一つ以上の特定論理チャンネルに専用されることができる（例えば、Ｖ２Ｘ通信））
【００８３】
−例えば、サブフレーム、無線フレーム、ミリ秒または秒単位でＳＰＳ−Ｃｏｎｆｉｇが有効な有効期間（ＳＰＳＶａｌｉｄＤｕｒａｔｉｏｎ）
【００８４】
−ＳＰＳ−Ｃｏｎｆｉｇが有効な少なくとも一つのセルの目録（ＳＰＳＣｅｌｌＬｉｓｔ）。
【００８５】
−ＳＰＳ−Ｃｏｎｆｉｇの対象、即ち、特定論理チャンネル（ら）の論理チャンネル識別子（ら）。即ち、論理チャンネル識別子により指示される論理チャンネルからのＵＬデータのみがＳＰＳリソースを使用して転送されることができる。他の論理チャンネルからのＵＬデータは、ＳＰＳリソースを使用して転送されることができない。
【００８６】
ＲＲＣシグナリングは、システム情報、ＲＲＣ連結設定メッセージまたはＲＲＣ連結再構成メッセージまたはＲＲＣ連結解除メッセージである。ＵＥがＲＲＣ＿ＩＤＬＥにある場合、ＵＥは、システム情報を介してＳＰＳ−Ｃｏｎｆｉｇを受信することができる。または、ＵＥがＲＲＣ＿ＣＯＮＮＥＣＴＥＤ状態にある場合、ＵＥは、ＲＲＣ連結設定メッセージ、ＲＲＣ連結再構成メッセージまたはＲＲＣ連結解除メッセージを介して受信することができる。ＵＥがＲＲＣ＿ＩＤＬＥに移動する場合、ＵＥは、ＳＰＳ−Ｃｏｎｆｉｇを維持することができる。したがって、ＳＰＳ−Ｃｏｎｆｉｇは、ＲＲＣ＿ＩＤＬＥ状態のＵＥに格納されることができる。
【００８７】
ＲＲＣシグナリングによりＳＰＳ−Ｃｏｎｆｉｇを受信する時、ＵＥは、ＳＰＳリソースの周波数情報、ＳＰＳスケジューリング情報のためのＰＵＣＣＨ、ＳＰＳ  Ｃ−ＲＮＴＩ、ＳＰＳスケジューリングインターバル及びＳＰＳＣｅｌｌＬｉｓｔを含むＳＰＳリソースを（再）構成することができる。しかし、ＳＰＳが活性化される時まで、ＵＥは、ＳＰＳ時間オフセットを含むＳＰＳリソースの時間情報を決定することができない。
【００８８】
２．ステップ２
【００８９】
特定論理チャンネル（ら）、特定ＰＤＮ、または特定サービス／アプリケーションに対してＵＬデータが利用可能になった場合、ＵＥは、ＳＰＳを活性化するためにＳＲをトリガする。ＳＲは、特定論理チャンネル（ら）、特定ＰＤＮまたは特定サービス／アプリケーションに対するものである。例えば、前記ＳＲは、Ｖ２Ｘ通信にのみ特定的であり、またはこのようなＳＰＳ動作にのみ特定的である。
【００９０】
ＵＥは、ＰＵＣＣＨを介してＳＲを転送することができる。ＳＲは、ｅＮＢにＳＰＳ活性化を要求するときに使われることができる。特定論理チャンネル（ら）を介した転送に利用可能なＵＬデータの量に対してｅＮＢに通知するためにＰＵＣＣＨ上のＳＲが使われることもできる。その後、ＵＥは、特定論理チャンネル（ら）、特定論理チャンネルグループ、Ｖ２Ｘ通信、またはこのＳＰＳ動作に特定されることができるＢＳＲ（ｂｕｆｆｅｒ  ｓｔａｔｕｓ  ｒｅｐｏｒｔ）ＭＡＣ  ＣＥを含むＵＬ−ＳＣＨを転送することができる。また、ＵＥは、ｅＮＢにＢＳＲ  ＭＡＣ  ＣＥと共にＳＰＳタイミングを指示することができる。
【００９１】
その代案として、ＵＥは、ランダムアクセスを介してＳＲを転送することができる。このような場合、ランダムアクセスプリアンブル（即ち、ランダムアクセスのＭｓｇ１）またはＵＬ−ＳＣＨ（即ち、ランダムアクセスのＭｓｇ３）がｅＮＢにＳＰＳ活性化を要求するときに使われることができる。また、Ｍｓｇ１またはＭｓｇ３は、特定論理チャンネル（ら）を介した転送のために利用可能なＵＬデータの量に対してｅＮＢに通知できる。Ｍｓｇ３は、特定論理チャンネル（ら）を介した転送のために利用可能なＵＬデータの量に対してｅＮＢに通報するためにＢＳＲ  ＭＡＣ  ＣＥのようなＭＡＣ  ＣＥを含むことができる。ＭＡＣ  ＣＥは、ＳＰＳの活性化に使われることができる。ＭＡＣ  ＣＥは、特定論理チャンネル（ら）、特定論理チャンネルグループ、Ｖ２Ｘ通信、またはこのＳＰＳ動作に特定的である。また、ＵＥは、ｅＮＢにＭＡＣ  ＣＥと共にＳＰＳタイミングを指示することができる。
【００９２】
ＳＰＳがいつ活性化されるべきかをｅＮＢに指示するためにＳＰＳタイミングが使われる。ＳＰＳタイミングは、ＳＦＮ番号及びサブフレーム番号を直接示すことができ、両方ともＳＰＳが活性化されなければならない時期に対応する。その代案として、ＳＰＳタイミングは、ＳＰＳタイミングを転送する前に遅延された時間を指示することができる。例えば、ＳＰＳタイミングを転送する前に遅延された時間は、ＳＲトリガリングタイミングとＭＡＣ  ＣＥ転送タイミングとの間の時間インターバルである。
【００９３】
ステップ２の動作は、ＲＲＣ状態によって詳細に説明する。ステップ２の動作は、任意のＲＲＣ状態に適用されることができる。
【００９４】
（１）ＵＥがＲＲＣ＿ＩＤＬＥである場合
【００９５】
特定論理チャンネル（ら）、特定ＰＤＮ、または特定サービス／アプリケーション（例えば、Ｖ２Ｘ通信）に対してＵＬデータが利用可能になり、（ＵＥがシステム情報またはＲＲＣ連結解除メッセージを介してＳＰＳ−Ｃｏｎｆｉｇを受信するため）ＳＰＳ−Ｃｏｎｆｉｇがサービングセルで利用可能な場合、ＵＥは、ＳＰＳリソースを活性化するために連結確立をトリガしてｅＮＢにメッセージを転送する。メッセージには下記のうち少なくとも一つが含まれることができる。前記メッセージは、ＲＲＣ連結要求メッセージ、ＲＲＣ連結再開要求メッセージまたはＲＲＣ連結再確立要求メッセージである。
【００９６】
−Ｓ−ＴＭＳＩ（ＳＡＥ（ｓｙｓｔｅｍ  ａｒｃｈｉｔｅｃｔｕｒｅ  ｅｖｏｌｕｔｉｏｎ）ｔｅｍｐｏｒａｒｙ  ｍｏｂｉｌｅ  ｓｕｂｓｃｒｉｂｅｒ  ｉｄｅｎｔｉｔｙ）またはＣ−ＲＮＴＩのようなＵＥ  ＩＤ；または
【００９７】
−Ｃ−ＲＮＴＩを割り当てるセルに対応する物理セルＩＤのようなセルＩＤ；または
【００９８】
−ＳＰＳ活性化要求及び／または例えば確立原因でＶ２Ｘ指示；または
【００９９】
−再開ＩＤ（ＵＥがＤＲＢ（ｄａｔａ  ｒａｄｉｏ  ｂｅａｒｅｒｓ）を一時中断する場合）
【０１００】
−ＳＰＳタイミング
【０１０１】
（２）ＵＥがＲＲＣ＿ＣＯＮＮＥＣＴＥＤ状態にある場合：ＲＲＣ＿ＣＯＮＮＥＣＴＥＤ状態にあるＵＥは、ハンドオーバー命令（例えば、移動性制御情報を有するＲＲＣ連結再構成メッセージ）を受信し、またはＵＥがＲＲＣ状態に関係なくハンドオーバー命令無しに他のセルを選択することができる。
【０１０２】
ＵＬデータが特定論理チャンネル（ら）、特定ＰＤＮ、または特定サービス／アプリケーション（例えば、Ｖ２Ｘ通信）に対して利用可能になり、（ＵＥがシステム情報またはハンドオーバー命令を介してＳＰＳ−Ｃｏｎｆｉｇを受信するため）ＳＰＳ−Ｃｏｎｆｉｇがサービングセルに利用可能な場合は、ＵＥがターゲットセルにない場合、ＵＥは、ＳＰＳリソースを使用してソースセルに向かってＵＬ転送を実行する。例えば、ＵＥがターゲットセルのＤＬに同期化される前にまたはＵＥがターゲットセルに向かってランダムアクセスを実行する前に、ＵＥは、ソースセルに向かってＳＰＳリソースを使用することによってＵＬ転送を実行することができる。
【０１０３】
特定論理チャンネル（ら）、特定ＰＤＮ、または特定サービス／アプリケーション（例えば、Ｖ２Ｘ通信）に対してＵＬデータが利用可能になり、（ＵＥがシステム情報またはハンドオーバー命令を介してＳＰＳ−Ｃｏｎｆｉｇを受信するため）ＳＰＳ−Ｃｏｎｆｉｇがサービングセルで利用可能な場合は、ＵＥがターゲットセルにある場合、ＵＥは、ＳＰＳリソースを活性化するためにターゲットセルにハンドオーバー完了メッセージを転送する。例えば、ＵＥがターゲットセルに同期化された後またはＵＥがターゲットセルに向かってランダムアクセスを実行した後に、ＵＥは、ＳＰＳリソースを活性化するためにターゲットセルにハンドオーバー完了メッセージを転送することができる。ターゲットセルは、ハンドオーバー命令をソースセルに転送できる。ハンドオーバー命令は、ターゲットセルで使われるＵＥのＣ−ＲＮＴＩ及びＵＥのＳＰＳ  Ｃ−ＲＮＴＩを含むことができる。ハンドオーバー完了メッセージは、下記のうち少なくとも一つを含むことができる。ハンドオーバー完了メッセージは、ＲＲＣ連結再構成完了メッセージ、ＲＲＣ連結要求メッセージ、ＲＲＣ連結再開要求メッセージまたはＲＲＣ連結再確立要求メッセージである。
【０１０４】
−例えば、Ｃ−ＲＮＴＩ  ＭＡＣ  ＣＥ内の（ソースセルまたはターゲットセルにより割り当てられる）Ｃ−ＲＮＴＩのようなＵＥ  ＩＤ；または
【０１０５】
−Ｃ−ＲＮＴＩを割り当てるセルに対応する物理セルＩＤのようなセルＩＤ；または
【０１０６】
−ＳＰＳ活性化要求及び／または例えば確立原因でＶ２Ｘ指示；または
【０１０７】
−再開ＩＤ（ＵＥがＤＲＢを一時中断する場合）
【０１０８】
−ＳＰＳタイミング
【０１０９】
一方、ＵＥがＳＰＳ再活性化を要求することを所望する場合、例えば、ＳＰＳタイミングが調整される必要がある場合、ステップ２の動作が実行されることができる。したがって、ＵＥは、ＳＰＳ再活性化のためにＳＰＳ活性化要求を転送することができる。ＳＰＳ活性化命令（即ち、ＳＰＳ再活性化命令）を受信する時、ＵＥは、以前ＳＰＳリソースを新しいＳＰＳリソースに代えることができる。例えば、時間オフセットは、ＳＰＳ再活性化命令により代えることができる。
【０１１０】
３．ステップ３
【０１１１】
ＵＥからＳＰＳ活性化要求を受信する時、ｅＮＢは、ＵＥにＳＰＳ活性化命令を転送してＳＰＳを活性化させる。ＰＵＣＣＨまたはＲＲＣ連結要求メッセージ、ＲＲＣ連結再開要求メッセージ、ＲＲＣ連結再構成完了メッセージ、ＲＲＣ連結再確立要求メッセージまたはハンドオーバー完了メッセージなどのようなまたはＲＲＣメッセージ上のスケジューリング要求を介してＳＰＳ活性化要求が受信されることができる。ＳＰＳ活性化命令は、ＵＥのＣ−ＲＮＴＩまたはＳＰＳ  Ｃ−ＲＮＴＩをアドレスするＰＤＣＣＨ、ＭＡＣ  ＣＥまたはＲＲＣ連結設定メッセージ、ＲＲＣ連結再確立メッセージなどのようなＲＲＣメッセージに対応できる。また、ＳＰＳ活性化命令は、ＵＥに対していつＳＰＳが活性化されるかを指示することができる。例えば、ＳＰＳ活性化命令は、ＳＰＳ活性化命令の転送と第１のＳＰＳ転送との間の時間インターバルに対応するＳＰＳ時間オフセットを指示することができる。
【０１１２】
ＳＰＳ  Ｃ−ＲＮＴＩによりアドレスされるＰＤＣＣＨを介したＳＰＳ活性化命令は、ＵＥへのＵＬリソースを承認することができる。ＵＬリソースは、第１のＳＰＳ転送が発生する前に割り当てられることができ、ＵＬリソースは、ＳＰＳリソースと独立的である。特定論理チャンネル（ら）を介した転送のために利用可能なデータに対してＵＬリソースが使われることができる。ＵＬリソースは、後続するＨＡＲＱ再−転送を含む単一ＵＬ転送に対応できる。
【０１１３】
４．ステップ４
【０１１４】
ｅＮＢからＳＰＳ活性化命令を受信する時、ＵＥは、ＳＰＳ−Ｃｏｎｆｉｇを使用してＳＰＳ転送を（構成及び）活性化する。ＳＰＳ活性化命令がいつＳＰＳが活性化されるかを明示的に指示する場合、即ち、ＳＰＳ時間オフセットを明示的に指示する場合、ＵＥは、明示的なＳＰＳ時間オフセットによってＳＰＳ転送を活性化することができる。そうでない場合、ＳＰＳ時間オフセットは、ＳＰＳ活性化命令が受信されたサブフレームからＮ番目のサブフレームに決定されることができる。Ｎ値は、ＲＲＣメッセージによりシグナリングされ、または事前−決定（ｐｒｅ−ｆｉｘ）されることができる。
【０１１５】
ＵＥは、ＳＰＳ−Ｃｏｎｆｉｇにより構成されたＳＰＳリソースを使用してＵＬ転送を実行し続けることができる。ＳＰＳ−Ｃｏｎｆｉｇが有効であると見なす場合にのみ、ＵＥは、ＳＰＳ−Ｃｏｎｆｉｇにより構成されたＳＰＳリソースを使用することができる。ＳＰＳ−Ｃｏｎｆｉｇが有効かどうかを決定するために、ＵＥは、ＳＰＳ−Ｃｏｎｆｉｇに含まれているＳＰＳＶａｌｉｄＤｕｒａｔｉｏｎ及び／またはＳＰＳＣｅｌｌＬｉｓｔを使用することができる。
【０１１６】
特定論理チャンネルは、ＤＲＢまたはＳＲＢ（ｓｉｇｎａｌｉｎｇ  ｒａｄｉｏ  ｂｅａｒｅｒ）に対応できる。ＵＥは、特定論理チャンネルに対してＤＲＢを一時停止した後、ＳＰＳが活性化される場合、即ち、ＳＰＳ活性化命令が受信される場合、ＤＲＢを再開することができる。
【０１１７】
５．ステップ５
【０１１８】
ＵＥは、ＳＲ（ＰＵＣＣＨまたはランダムアクセス上の）、Ｌ１  ＵＬ制御情報、ＭＡＣ  ＣＥまたはＲＲＣメッセージうち一つを使用してＳＰＳ解除（または、非活性化）を要求することができる。ＳＰＳ解除要求（または、非活性化要求）を受信する時、ｅＮＢは、ＳＰＳ解除命令（または、非活性化命令）をＵＥに転送できる。ＳＰＳ解除命令（または、非活性化命令）は、ＵＥのＣ−ＲＮＴＩまたはＳＰＳ  Ｃ−ＲＮＴＩをアドレスするＰＤＣＣＨ、ＭＡＣ  ＣＥまたはＲＲＣ連結設定メッセージ、ＲＲＣ連結再確立メッセージのようなＲＲＣメッセージに対応できる。ＳＰＳ解除命令（または、非活性化命令）を受信する時、ＵＥは、構成されたＳＰＳリソースを解除し、構成されたＳＰＳリソースの使用を中断することができる。
【０１１９】
図７は、本発明の一実施例によってＵＥによるＳＰＳ活性化を実行するための方法を示す。前述した本発明が本実施例に適用されることができる。
【０１２０】
ステップＳ１００において、ＵＥは、ｅＮＢからＳＰＳリソース構成を受信する。ＳＰＳリソース構成は、特定論理チャンネル、特定ＰＤＮ、特定アプリケーションまたは特定サービスのうち一つに対するものである。特定論理チャンネル、特定ＰＤＮ、特定アプリケーションまたは特定サービスは、Ｖ２Ｘ通信に対応する。ＳＰＳリソース構成は、ＳＰＳリソース構成の対象である特定論理チャンネルを指示する論理チャンネル識別子を含む。
【０１２１】
ステップＳ１１０において、ＵＥは、特定論理チャンネルに対するＳＰＳ活性化と関連した情報をｅＮＢに転送する。前記情報は、ＳＰＳ活性化に対する要求、即ち、ＳＰＳ活性化要求を含むことができる。前記情報は、ＰＵＣＣＨ、ＭＡＣ  ＣＥまたはＲＲＣメッセージうち一つ上にＳＲを介して転送されることができる。前記情報は、特定論理チャンネルに対するタイミング情報を含むことができる。前記タイミング情報は、特定論理チャンネルに対するＳＰＳリソースがいつ活性化されるべきかを指示することができる。前記タイミング情報は、ＳＦＮまたはサブフレーム番号のうち少なくとも一つを含むことができる。
【０１２２】
ＵＥは、ｅＮＢからＳＰＳ活性化命令をさらに受信することができる。ＳＰＳ活性化命令は、いつＳＰＳリソースが活性化されるかを指示するＳＰＳ時間オフセットを含むことができる。ＳＰＳ  Ｃ−ＲＮＴＩによりアドレスされたＰＤＣＣＨ上のＳＰＳ活性化命令は、ＵＬリソースを承認することができる。ＳＰＳ活性化命令を受信する時、ＵＥは、ＳＰＳリソース構成により構成されたＳＰＳリソースを利用してｅＮＢへのＵＬ転送を実行することができる。また、ＵＥのＮＡＳ階層は、連結確立をトリガすることができる。
【０１２３】
図８は、発明の実施例が具現される無線通信システムを示す。
【０１２４】
ｅＮＢ８００は、プロセッサ（ｐｒｏｃｅｓｓｏｒ）８１０、メモリ（ｍｅｍｏｒｙ）８２０及び送受信部（ｔｒａｎｓｃｅｉｖｅｒ）８３０を含む。プロセッサ８１０は、本明細書で説明された機能、過程及び／または方法を具現するように構成されることができる。無線インターフェースプロトコルの階層は、プロセッサ８１０により具現されることができる。メモリ８２０は、プロセッサ８１０と連結され、プロセッサ８１０を駆動するための多様な情報を格納する。送受信部８３０は、プロセッサ８１０と連結され、無線信号を送信及び／または受信する。
【０１２５】
ＵＥ９００は、プロセッサ９１０、メモリ９２０及び送受信部９３０を含む。プロセッサ９１０は、本明細書で説明された機能、過程及び／または方法を具現するように構成されることができる。無線インターフェースプロトコルの階層は、プロセッサ９１０により具現されることができる。メモリ９２０は、プロセッサ９１０と連結され、プロセッサ９１０を駆動するための多様な情報を格納する。送受信部９３０は、プロセッサ９１０と連結され、無線信号を送信及び／または受信する。
【０１２６】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、及び／又はデータ処理装置を備えることができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を備えることができる。送受信部８３０、９３０は、無線周波数信号を処理するためのベースバンド回路を備えることができる。実施形態がソフトウェアで実現されるとき、上述した技法は、上述した機能を果たすモジュール（過程、機能等）で実現されることができる。モジュールは、メモリ８２０、９２０に格納され、プロセッサ８１０、９１０により実行されることができる。メモリ８２０、９２０は、プロセッサ８１０、９１０の内部または外部にありうるし、よく知られた様々な手段にてプロセッサ８１０、９１０と連結されることができる。
【０１２７】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、異なるステップと、前述と異なる順序にまたは同時に発生できる。また、当業者であれば、流れ図に示すステップが排他的でなく、他のステップが含まれ、または流れ図の１つまたはそれ以上のステップが本発明の範囲に影響を及ぼさずに削除可能であることを理解することができる。
【図１】
2019504573.tif 000006
【図２】
2019504573.tif 000007
【図３】
2019504573.tif 000008
【図４】
2019504573.tif 000009
【図５】
2019504573.tif 000010
【図６】
2019504573.tif 000011
【図７】
2019504573.tif 000012
【図８】
2019504573.tif 000013
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
無線通信システムにおける端末（ＵＥ；ｕｓｅｒ  ｅｑｕｉｐｍｅｎｔ）による半静的スケジューリング（ＳＰＳ；ｓｅｍｉ−ｐｅｒｓｉｓｔｅｎｔ  ｓｃｈｅｄｕｌｉｎｇ）調整のためのタイミングオフセット情報を転送する方法において、
ｅＮＢ（ｅＮｏｄｅＢ）からＲＲＣ（ｒａｄｉｏ  ｒｅｓｏｕｒｃｅ  ｃｏｎｔｒｏｌ）シグナリングによりＳＰＳリソース構成を受信し、
前記ＳＰＳリソース構成によるＳＰＳリソースのタイミングが調整されるべき必要があることを決定し、
特定論理チャンネルに対してＳＰＳ調整と関連したタイミングオフセット情報を前記ｅＮＢに転送することを含み、
前記タイミングオフセット情報は、サブフレーム番号を指示する、方法。
【請求項２】
前記タイミングオフセット情報は、前記特定論理チャンネルに対するＳＰＳリソースがいつ活性化されるべきかを指示する、請求項１に記載の方法。
【請求項３】
前記タイミングオフセット情報は、ＳＰＳ活性化に対する要求を含む、請求項１に記載の方法。
【請求項４】
前記情報は、ＰＵＣＣＨ（ｐｈｙｓｉｃａｌ  ｕｐｌｉｎｋ  ｃｏｎｔｒｏｌ  ｃｈａｎｎｅｌ）、ＭＡＣ（ｍｅｄｉａ  ａｃｃｅｓｓ  ｃｏｎｔｒｏｌ）ＣＥ（ｃｏｎｔｒｏｌ  ｅｌｅｍｅｎｔ）またはＲＲＣ（ｒａｄｉｏ  ｒｅｓｏｕｒｃｅ  ｃｏｎｔｒｏｌ）メッセージ上のスケジューリング要求（ＳＲ；ｓｃｈｅｄｕｌｉｎｇ  ｒｅｑｕｅｓｔ）を介して転送される、請求項１に記載の方法。
【請求項５】
前記ＳＰＳリソース構成は、前記特定論理チャンネル、特定ＰＤＮ（ｐａｃｋｅｔ  ｄａｔａ  ｎｅｔｗｏｒｋ）、特定アプリケーションまたは特定サービスのうち一つに対するものである、請求項１に記載の方法。
【請求項６】
前記特定論理チャンネル、前記特定ＰＤＮ、前記特定アプリケーションまたは前記特定サービスは、Ｖ２Ｘ（ｖｅｈｉｃｌｅ−ｔｏ−ｅｖｅｒｙｔｈｉｎｇ）通信に対応する、請求項５に記載の方法。
【請求項７】
前記ＳＰＳリソース構成は、前記ＳＰＳリソース構成の対象である前記特定論理チャンネルを指示する論理チャンネル識別子を含む、請求項１に記載の方法。
【請求項８】
前記ｅＮＢからＳＰＳ活性化命令を受信することをさらに含む、請求項１に記載の方法。
【請求項９】
前記ＳＰＳ活性化命令は、ＳＰＳリソースが活性化される時を指示するＳＰＳ時間オフセットを含む、請求項８に記載の方法。
【請求項１０】
前記ＳＰＳ活性化命令は、ＳＰＳ  Ｃ−ＲＮＴＩ（ｃｅｌｌ  ｒａｄｉｏ  ｎｅｔｗｏｒｋ  ｔｅｍｐｏｒａｒｙ  ｉｄｅｎｔｉｔｙ）によりアドレスされるＰＤＣＣＨ（ｐｈｙｓｉｃａｌ  ｄｏｗｎｌｉｎｋ  ｃｏｎｔｒｏｌ  ｃｈａｎｎｅｌ）上でＵＬ（ｕｐｌｉｎｋ）リソースを承認する、請求項８に記載の方法。
【請求項１１】
前記ＳＰＳ活性化命令を受信する時、前記ＳＰＳリソース構成により構成されたＳＰＳリソースを利用して前記ｅＮＢにＵＬ転送を実行することをさらに含む、請求項８に記載の方法。
【請求項１２】
前記ＵＥのＮＡＳ（ｎｏｎ−ａｃｃｅｓｓ  ｓｔｒａｔｕｍ）階層により連結確立をトリガすることをさらに含む、請求項１に記載の方法。
【請求項１３】
無線通信システムにおける端末（ＵＥ；ｕｓｅｒ  ｅｑｕｉｐｍｅｎｔ）において、
メモリと、
送受信部と、
前記メモリ及び前記送受信部に連結されるプロセッサとを含み、
前記プロセッサは、
ｅＮＢ（ｅＮｏｄｅＢ）からＲＲＣ（ｒａｄｉｏ  ｒｅｓｏｕｒｃｅ  ｃｏｎｔｒｏｌ）シグナリングによりＳＰＳ（ｓｅｍｉ−ｐｅｒｓｉｓｔｅｎｔ  ｓｃｈｅｄｕｌｉｎｇ）リソース構成を受信するように前記送受信部を制御し、
前記ＳＰＳリソース構成によるＳＰＳリソースのタイミングが調整されるべき必要があることを決定し、
特定論理チャンネルに対してＳＰＳ調整と関連したタイミングオフセット情報を前記ｅＮＢに転送するように前記送受信部を制御し、
前記タイミングオフセット情報は、サブフレーム番号を指示する、ＵＥ。
【国際調査報告】
2019504573.tif 000014
2019504573.tif 000015